(57)【要約】      （修正有）【課題】紙ジャム処理が容易で且つコンパクトな複合画像形成装置を提供する。【解決手段】ハウジング２内に、下段側にトナー画像形成用の第１給紙トレイ５から給送される用紙Ｐ１が第１印刷部６を経て第１排紙部７に至る第１用紙経路８が設けられ、その上側にインク画像形成用の第２給紙トレイから給送される用紙が第２印刷部３１を経て第２排紙部に至る第２用紙経路が設けられ、第１用紙経路には、第１給紙トレイから給送される用紙Ｐ１が第１印刷部へ送られるＵターン経路がハウジングの手前側に配置され、第２用紙経路には、第２給紙トレイから給送される用紙が第２印刷部３１へ送られるＵターン経路３４がハウジングの奥側に配置され、第１排紙部の上方には、ハウジングの前側での上下仕切り壁を有することなく、挿抜可能な第２給紙トレイが配置されている。第２給紙トレイをハウジング前側から引き抜くと、第１排紙部の上側に広い作業空間ができる。【選択図】図３
2011090266.tif 000002
【特許請求の範囲】
【請求項１】
装置本体における下段側に電子写真方式によって画像形成を行なう第１画像形成部が配置され、それより上段側にインクジェット方式によって画像形成を行なう第２画像形成部が配置され、
前記第１画像形成部には、第１給紙トレイと第１印刷部と第１排紙部とが下から順に設けられ、
前記第１画像形成部には、前記第１給紙トレイから給送される被記録媒体が第１印刷部を経て第１排紙部に至る第１用紙経路が設けられ、
前記第１用紙経路には、前記第１給紙トレイから給送される被記録媒体が第１印刷部へ送られるＵターン経路が前記装置本体の手前側に配置され、
前記第２画像形成部には、第２給紙トレイと第２印刷部と第２排紙部とが設けられ、
前記第２画像形成部には、前記第２給紙トレイから給送される被記録媒体が第２印刷部を経て第２排紙部に至る第２用紙経路が設けられ、
前記第２用紙経路には、前記第２給紙トレイから給送される被記録媒体が第２印刷部へ送られるＵターン経路が前記装置本体の奥側に配置され、
前記第１排紙部の上方には、少なくとも前記装置本体の前側での上下仕切り壁を有することなく、前記第２給紙トレイが配置されていることを特徴とする複合画像形成装置。
【請求項２】
前記第１用紙経路の中途部であって、装置本体の奥側には、前記第１排紙部への経路と前記第２印刷部への経路とに選択的に被記録媒体を搬送させるフラッパ付きの第３用紙経路が配置されていることを特徴とする請求項１に記載の複合画像形成装置。
【請求項３】
前記第１用紙経路の中途部には、前記第１印刷部で印刷済みの被記録媒体を再び前記第１印刷部に向かって反転搬送するための第１リターンパスが設けられ、
前記第２用紙経路の中途部には、前記第２印刷部で印刷済みの被記録媒体を再度前記第２印刷部に向かって反転搬送するための第２リターンパスが設けられていることを特徴とする請求項２に記載の複合画像形成装置。
【請求項４】
前記第１給紙トレイと前記第２給紙トレイとは、それぞれ前記装置本体の手前側から挿抜可能であり、第１排紙と第２排紙とは、それぞれ前記装置本体の手前側から操作可能に構成されていることを特徴とする請求項１乃至３のいずれかに記載の複合画像形成装置。
【請求項５】
前記第２給紙トレイは前記装置本体の手前側から奥側に向かって下向き傾斜状に配置されていることを特徴とする請求項１乃至４のいずれかに記載の複合画像形成装置。
【請求項６】
前記第２排紙部が前記第２給紙トレイに接続または載置されていることを特徴とする請求項１乃至５のいずれかに記載の複合画像形成装置。
【発明の詳細な説明】
【技術分野】
【０００１】
本発明は、１つの装置本体内に、電子写真方式によって画像形成を行なう画像形成部と、インクジェット方式によって画像形成を行なう画像形成部とが配置された複合画像形成装置の構成に関するものである。
【背景技術】
【０００２】
従来から、電子写真方式によるレーザプリンタとインクジェットプリンタとの双方の特徴を生かすため、この両者を１つの装置本体内に配置し、テキストデータ等のモノクロ画像はレーザプリンタ部で用紙に画像形成し、カラー画像については、インクジェットプリンタ部にて画像形成するという、いわゆる複合画像形成装置が、種々知られている。
【０００３】
この種の先行技術のうち、装置本体をなるべく小型にするための技術として、給紙トレイを１つにし、１の用紙がレーザプリンタ部とインクジェットプリンタ部とを経て排紙部にわたって直列的に通過するような１つの用紙搬送経路を備えたものとして、特許文献１がある。
【０００４】
特許文献１の構成では、装置本体の下側に配置された給紙トレイから装置本体の一側のＵターンパスを経てレーザプリンタ部に用紙が搬送され、ここでの印刷動作が終了すると、装置本体内を一側から他側に向かって用紙がほぼ水平で搬送され、定着部を通過した後の用紙がインクジェットプリンタ部を経て排紙部に至るものである。
【０００５】
他方、特許文献２に開示されている複合画像形成装置では、装置本体内に第１給紙トレイと第２給紙トレイとが上下２段に配置され、且つ装置本体の前側には手差し給紙トレイが設けられている。
【０００６】
そして、下段給紙トレイからの用紙がレーザプリンタ部を通過することなく、直接インクジェットプリンタ部を経て装置本体の上面に設けられた排紙部に排出される上下方向の第１用紙搬送経路と、上段の給紙トレイまたは手差し給紙トレイから給紙された用紙が、まずレーザプリンタ部で印刷された後、第１用紙搬送経路の途中に合流するほぼ水平な第２用紙搬送経路とを備えて、用紙の片面または両面に印刷できる構成が開示されている。
【０００７】
さらに、特許文献３に開示されている複合画像形成装置では、装置本体内の下側に１つの給紙トレイが配置され、給紙トレイからＵターンパスを経てレーザプリンタ部に用紙が搬送され、ここでの印刷動作が終了すると、装置本体内を前から奥側に向かって用紙がほぼ水平で搬送され、定着部を通過した後の用紙がフラッパを経由して反転ローラにより前記給紙トレイの上側の反転部に送られる。用紙の後端がフラッパを抜けると、反転ローラが逆転し、装置本体の上方に向かって送られ、インクジェットプリンタ部でレーザプリンタ部での印刷面と同じ面に印刷された後、装置本体上面の排紙部に排出される構成が開示されている。
【先行技術文献】
【特許文献】
【０００８】
【特許文献１】特開平０７−２６６６３１号公報（図２参照）
【特許文献２】特開平０９−３１１５１３号公報（図１参照）
【特許文献３】特開平０８−６７０３３号公報（図１参照）
【発明の概要】
【発明が解決しようとする課題】
【０００９】
しかしながら、特許文献１の用紙搬送経路の構成では、その途中で紙ジャムが発生すると、用紙搬送経路の上下を挟む搬送ローラと従動ローラとの間を開くように、装置本体の下ケースに対して上ケースを上向きに回動するように構成しなければならず、そのために、装置本体上側に作業空間（取り扱い空間）が大きく必要となるという問題があった。また、装置本体の一側のＵターンパス部分で紙つまりが発生した場合、そのＵターンパス部の外側の部材を外して紙ジャム処理しなければならず、装置本体の側面板を開放する構成が必要となっていた。
【００１０】
特許文献２の用紙搬送経路の構成でも、２つの給紙トレイから選択的に用紙をインクジェットプリンタ部に向かって搬送するための上下方向の第１用紙搬送経路が装置本体の後側面に設けられているため、この個所で紙つまりが発生すると、紙ジャム処理のために装置本体の後側板を外して開放しなければならない。
【００１１】
特許文献３における用紙搬送経路は、上下方向にほぼＳ字状であり、これの途中に反転経路が分岐して配置されているから、紙ジャム処理のために、Ｕターンパス部の外側の部材を外したり、インクジェットプリンタ部への上下方向の搬送経路の開放のため、装置本体の他方の側板を外す構成が必要であった。
【００１２】
本発明は、これらの従来技術の問題点を解決するためになされたものであり、紙ジャム処理に際して取り扱い空間の増大化を図ることで紙ジャム処理が行いやすくすることができ、構成が簡単で装置の小型化を図ることができる複合画像形成装置を提供することを目的とするものである。
【課題を解決するための手段】
【００１３】
請求項１に記載の発明は、装置本体における下段側に電子写真方式によって画像形成を行なう第１画像形成部が配置され、それより上段側にインクジェット方式によって画像形成を行なう第２画像形成部が配置され、前記第１画像形成部には、第１給紙トレイと第１印刷部と第１排紙部とが下から順に設けられ、前記第１画像形成部には、前記第１給紙トレイから給送される被記録媒体が第１印刷部を経て第１排紙部に至る第１用紙経路が設けられ、前記第１用紙経路には、前記第１給紙トレイから給送される被記録媒体が第１印刷部へ送られるＵターン経路が前記装置本体の手前側に配置され、前記第２画像形成部には、第２給紙トレイと第２印刷部と第２排紙部とが設けられ、前記第２画像形成部には、前記第２給紙トレイから給送される被記録媒体が第２印刷部を経て第２排紙部に至る第２用紙経路が設けられ、前記第２用紙経路には、前記第２給紙トレイから給送される被記録媒体が第２印刷部へ送られるＵターン経路が前記装置本体の奥側に配置され、前記第１排紙部の上方には、少なくとも前記装置本体の前側での上下仕切り壁を有することなく、前記第２給紙トレイが配置されているものである。
【００１４】
請求項２に記載の発明は、請求項１に記載の複合画像形成装置において、前記第１用紙経路の中途部であって、装置本体の奥側には、前記第１排紙部への経路と前記第２印刷部への経路とに選択的に被記録媒体を搬送させるフラッパ付きの第３用紙経路が配置されているものである。
【００１５】
請求項３に記載の発明は、請求項２に記載の複合画像形成装置において、前記第１用紙経路の中途部には、前記第１印刷部で印刷済みの被記録媒体を再び前記第１印刷部に向かって反転搬送するための第１リターンパスが設けられ、
前記第２用紙経路の中途部には、前記第２印刷部で印刷済みの被記録媒体を再度前記第２印刷部に向かって反転搬送するための第２リターンパスが設けられているものである。
【００１６】
請求項４に記載の発明は、請求項１乃至３のいずれかに記載の複合画像形成装置において、前記第１給紙トレイと前記第２給紙トレイとは、それぞれ前記装置本体の手前側から挿抜可能であり、第１排紙と第２排紙とは、それぞれ前記装置本体の手前側から操作可能に構成されているものである。
【００１７】
請求項５に記載の発明は、請求項１乃至４のいずれかに記載の複合画像形成装置において、前記第２給紙トレイは前記装置本体の手前側から奥側に向かって下向き傾斜に配置されているものである。
【００１８】
請求項６に記載の発明は、請求項１乃至５のいずれかに記載の複合画像形成装置において、前記第２排紙部が前記第２給紙トレイに接続または載置されているものである。
【発明の効果】
【００１９】
請求項１に記載の発明によれば、装置本体における下段側に電子写真方式によって画像形成を行なう第１画像形成部が配置され、それより上段側にインクジェット方式によって画像形成を行なう第２画像形成部が配置され、前記第１画像形成部には、前記第１給紙トレイから給送される被記録媒体が第１印刷部を経て第１排紙部に至る第１用紙経路が設けられ、前記第１用紙経路には、前記第１給紙トレイから給送される被記録媒体が第１印刷部へ送られるＵターン経路が前記装置本体の手前側に配置され、前記第２画像形成部には、前記第２給紙トレイから給送される被記録媒体が第２印刷部を経て第２排紙部に至る第２用紙経路が設けられ、前記第２用紙経路には、前記第２給紙トレイから給送される被記録媒体が第２印刷部へ送られるＵターン経路が前記装置本体の奥側に配置され、前記第１排紙部の上方には、少なくとも前記装置本体の前側での上下仕切り壁を有することなく、前記第２給紙トレイが配置されているものであるから、紙ジャム処理の場合に、第２給紙トレイを装置本体の前側から引き抜くと、装置本体の前側の開口部の上下寸法が大きく開放され、しかも上下仕切り壁が装置本体の前側に存在しないため、第１排紙部より上側に広い作業空間ができる。従って、装置本体の前側からユーザが手を入れて、作業空間内の紙詰まりを除去する作業が至極容易となる。
【００２０】
また、多くの空間が共用できて、複合画像形成装置の構成が簡単且つコンパクトになるという効果を奏する。
【００２１】
請求項２に記載の発明によれば、前記第１用紙経路の中途部であって、装置本体の奥側には、前記第１排紙部への経路と前記第２印刷部への経路とに選択的に被記録媒体を搬送させるフラッパ付きの第３用紙経路が配置されているものであるから、電子写真方式によって画像形成された被記録媒体にインクジェット方式による画像形成を行なうという両方式の画像形成の機能を持たせた複合画像形成装置においても、装置本体の前側から作業空間内にユーザが手を入れる際に、奥側の第３用紙経路の存在が邪魔にならず、作業空間内の紙詰まりを除去する作業が至極容易となる。
【００２２】
請求項３に記載の発明によれば、請求項２の効果に加えて、１枚の被記録媒体の両面に両方式の画像形成を行なうことができて、使い勝手が格段に向上する。
【００２３】
請求項４に記載の発明によれば、前記第１給紙トレイと前記第１排紙部及び前記第２給紙トレイと前記第２排紙部は、それぞれ前記装置本体の手前側から挿抜操作可能に構成されているものであるから、被記録媒体の取り扱いの作業が一方からのみで済み、操作性が向上する。
【００２４】
請求項５に記載の発明によれば、前記第２給紙トレイは前記装置本体の手前側から奥側に向かって下向き傾斜に配置されているものであるから、装置本体の奥側であって第２給紙トレイの上方に配置すべき給紙手段の配置高さを、上記傾斜配置でない場合に比べて低い位置にすることができるから、装置本体全体の高さをコンパクトにできる。また、紙ジャムが発生し易い装置本体の奥側における作業空間の上下寸法を大きく形成できるから、これによっても、紙ジャム処理が非常に容易となる。
【００２５】
請求項６に記載の発明によれば、前記第２排紙部が前記第２給紙トレイに接続または載置されているものであるから、第２排紙部ごと第２給紙トレイを装置本体から抜き出すことができる。その結果、第１排紙部及びその上側の排紙作業空間と第２給紙トレイと第２排紙部及びその上側の排紙作業空間の３つの領域が１つにまとまった大きく且つ広い範囲の紙ジャム処理のための作業空間が簡単に形成できるという効果を奏する。
【図面の簡単な説明】
【００２６】
【図１】本発明の第１実施例に係る複合画像形成装置の概略側断面図である。
【図２】第１実施例の概略正面図である。
【図３】（Ａ）は第１実施例の紙ジャム処理時の第２排紙部付きの第２給紙トレイを外した状態の概略側断面図、（Ｂ）は（Ａ）の概略正面図である。
【図４】第２実施例の概略側断面図である。
【図５】（Ａ）は第２実施例の紙ジャム処理時の第２給紙トレイを外した状態の概略側断面図、（Ｂ）は（Ａ）の概略正面図である。
【図６】（Ａ）は第３実施例の概略側断面図、（Ｂ）は（Ａ）の概略正面図である。
【図７】（Ａ）は第３実施例の紙ジャム処理時の第２排紙部付きの第２給紙トレイを外した状態の概略側断面図、（Ｂ）は（Ａ）の概略正面図である。
【図８】第３実施例におけるトレイ受け部材の斜視図である。
【発明を実施するための形態】
【００２７】
以下、適宜図面を参照して本発明の実施例について説明する。なお、本実施例は本発明の一例にすぎず、本発明の要旨を変更しない範囲で、実施例を適宜変更できることは言うまでもない。
【００２８】
図１は本発明を適用した第１実施例の複合画像形成装置１の概略側断面図、図 2は概略正面図である。この複合画像形成装置１は、プリンタ機能、ファクシミリ機能、コピー機能、及び原稿（画像）読取機能等の複数の機能を備えているが、本発明はプリンタ装置またはコピー装置に適用しても良い。
【００２９】
［基本形態］
本実施例の複合画像形成装置１は、図１に示すように、合成樹脂製の射出成形品などからなる装置本体としてのハウジング２内には、その下段側に、電子写真方式によって画像形成を行なう第１画像形成部３が配置され、それより上段側にインクジェット方式によって画像形成を行なう第２画像形成部４が配置される。
【００３０】
第１画像形成部３には、第１給紙トレイ５と第１印刷部６と第１排紙部７とが下から順に設けられ、第１画像形成部３には、第１給紙トレイ５から給送される被記録媒体が第１印刷部６を経て第１排紙部７に至る第１用紙経路８が設けられている。以下、被記録媒体とは、普通紙、写真印刷用の表面コーティングされた光沢紙などの特殊紙、ＯＨＰフィルムなどを言い、以下単に用紙という。
【００３１】
第１用紙経路８には、第１給紙トレイ５から給送される用紙Ｐ１が第１印刷部６へ送られる前Ｕターン経路９がハウジング２の手前側に配置されており、第１用紙経路８は、前Ｕターン経路９と、後述する第１印刷部６及び定着部１８を通過する実質的に水平状の搬送路と、定着部１８からそれより上方の第１排紙部７に至るハウジング２の奥側に配置された奥Ｕターン経路２０とにより側面視でＳ字状に形成されている。
【００３２】
第１給紙トレイ５の底板上には、堆積された用紙Ｐ１を載せる押圧板１０の一端がばね１１を介して上向きに付勢されて、最上層の用紙Ｐは送りローラ１２に当接する。第１給紙トレイ５におけるハウジング２の手前側には前Ｕターン経路９の少なくとも下半部が一体的に形成されている。また、送りローラ１２と前Ｕターン経路９の下端部との間には給送される用紙Ｐを１枚ずつに分離するためのバネで付勢された分離パッド１３は第１給紙トレイ５に設けられている。送りローラ１２及び分離パッド１３に当接する分離ローラ１４はハウジング２側に設けられている。第１給紙トレイ５はハウジング２の手前側から挿抜操作できる構成である。
【００３３】
第１印刷部６は、感光体ドラム１５、現像ローラ１６及び現像トナーカートリッジ１７、不図示の帯電器などが備えられたプロセスユニットからなる。
【００３４】
外部装置などから送られたデータに基づき印刷指令を受けると、第１給紙トレイ５上の最上層の用紙Ｐ１が送りローラ１２と分離パッド１３及び分離ローラ１４を介して、前Ｕターン経路９に送られ、次いでレジストローラ対１９にて先端位置合わせ及び斜行除去される。不図示のレーザスキャナユニットから照射された画像情報であるレーザ光が反射ミラーを経由して感光体ドラム１５の表面に照射される。そして、公知の電子写真プロセスにより現像される。レジストローラ対１９で待機していた用紙Ｐ１が感光体ドラム１５の個所を通過してトナー画像が転写され、ついで、定着部１８を通過することにより、トナー画像が用紙Ｐ１に定着される。その後、奥Ｕターン経路２０から排紙ローラ対２１を経て第１排紙部７に印刷済の用紙Ｐ１はその印刷面を下にして排出されるのである。本実施例におけるトナー画像は、モノクロ画像である。
【００３５】
なお、第１給紙トレイ５が配置された上部のハウジング２の前面には、前Ｕターン経路９の終端へ用紙Ｐ１を手差しで供給するため手差しトレイ２２が設けられている。そのため、手差しトレイ２２上の用紙は、レジストローラ対１９を経て第１印刷部６にて画像が印刷されたのち、奥Ｕターン経路２０から排紙ローラ対２１を経て第１排紙部７に印刷済の用紙Ｐはその印刷面を下にして排出されるのである。
【００３６】
インクジェット式の第２画像形成部４には、第２給紙トレイ３０と第２印刷部３１と第２排紙部３２とが順に設けられている。本実施例では、第２給紙トレイ３０のハウジング２の手前側上部に第２排紙部３２が接続または載置されている。第２給紙トレイ３０はハウジング２の手前側に対して挿抜操作できる構成である。従って、第２給紙トレイ３０をハウジング２の手前に対して挿抜すると、第２排紙部３２も同時（一体的に）に挿抜できることになる。
【００３７】
第２画像形成部４には、第２給紙トレイ３０から給送される用紙Ｐ２が第２印刷部３１を経て第２排紙部３２に至る第２用紙経路３３が設けられている。第２給紙トレイ３０におけるハウジングの奥側の上方に第２印刷部３１が配置される。従って、第２用紙経路３３には、第２給紙トレイ３０から給送される用紙Ｐ２が第２印刷部３１へ送られるＵターン経路３４がハウジング２の奥側に配置されていることになる。
【００３８】
本実施例における第２印刷部３１は、カラーインクジェットプリンタ部であり、イエロー、マゼンタ、シアン、ブラックの４色のインクを下向きに吐出する記録ヘッドを備えたキャリッジ３５がプラテン３６上を通過する用紙Ｐ２に対してその通過方向と直交する主走査方向に往復移動する。
【００３９】
第２給紙トレイ３０は、それに堆積された用紙Ｐ２の給送方向下流側端部に、分離爪などの摩擦抵抗の大きい分離手段を備えた傾斜分離板が設けられている。そして、第２給紙トレイ３０は用紙Ｐ２の給送方向下流側端部が上流側端部よりも下位置になるように、傾斜状に配置されている。
【００４０】
給紙手段３７は、下端に給紙ローラ３８を備えたアーム３９が給送方向下流に行くに従って下向きとなるように配置され、アーム３９の基端が不図示の駆動軸を中心にして回動する。また、アーム３９に設けられた不図示の伝動手段を介して駆動軸から給紙ローラ３８に回転力が伝達される。
【００４１】
外部装置などから送られたデータに基づき印刷指令を受けると、第２給紙トレイ３０上に堆積された用紙Ｐ２は、給紙手段３７と上記分離手段との協働作用にて１枚ずつに分離されて、Ｕターン経路３４へ給送され、レジストローラ対４０を経てプラテン３６上に搬送される。そして、キャリッジ３５は公知のように主走査方向に移動しながら、記録ヘッドのノズルから用紙Ｐ２にインクを選択式に吐出する。そのようなキャリッジ３５の移動と用紙の移動とを繰り返することにより、用紙Ｐ２上には所望の画像が記録されるのである。第２印刷部３１で、用紙Ｐ２の表面にカラー印刷された後、排紙ローラ対４１を経て第２排紙部３２に排出されるのである。
【００４２】
なお、第１排紙部７の上方には、少なくともハウジング２の前側での上下仕切り壁を有することなく、第２給紙トレイ３０が配置されている。
【００４３】
また、第２画像形成部４より上側には、コピー機能やファクシミリ機能のための原稿（画像）読取機能を有する画像読取部４２が備えられている。ハウジング２の上面には、原稿を載置することができる載置用のガラス板が設けられている。そして、ハウジング２の一側縁における枢軸部を介して原稿押えカバー体４３がガラス板を覆うことができるように上下回動可能に装着されている。この原稿押えカバー体４３の下面には、白色などの原稿押え板（不図示）が固定されている。
【００４４】
画像読取部４２は公知のコンタクトイメージセンサがガラス板に載置された原稿の画像を走査しながら読み取る構成などである。
【００４５】
原稿読み取り部は、複数枚の原稿を自動的に読み取るいわゆる原稿自動送り装置（ADF装置）が搭載されていてもよい。
【００４６】
また、ガラス板より前方に各種操作ボタンを有する操作部４４ａや液晶などの表示部４４ｂ等を備えた操作パネル部４４が設けられている。
【００４７】
上記の構成により、図２に示すように、第１給紙トレイ５はハウジング２の前側から挿抜可能であり、第２給紙トレイ３０は、ハウジング２の前面の開口部２ａから挿抜可能である。第１排紙部７及び第２排紙部３２も開口部２ａに対して開放されているので、第１排紙部７及び第２排紙部３２上の用紙Ｐ１、Ｐ２は開口部２ａから取り出すことができる。このように、用紙Ｐ１、Ｐ２の補充、排紙の取り扱い作業がハウジング２の前面側だけで実行できるから、取り扱いの作業空間を一方側に纏めた分だけ複合画像形成装置の所要空間をコンパクトにすることができ、且つ操作性が向上する。
【００４８】
そして、第１給紙トレイ５の個所（前Ｕターン経路９など）で紙詰まりが発生した場合には、当該第１給紙トレイ５をハウジング２の前面側に引き出して紙ジャム処理すれば良い。他方、第２排紙部３２ごと第２給紙トレイ３０をハウジング２の前面側に引き抜く。そうすると、図３（Ａ）及び図３（Ｂ）に示すように、開口部２ａの開口面積が大きく広がり、且つ、ハウジング２の内部で、第１排紙部７の上方から第２印刷部３１の下方まで広い範囲の作業空間４５ができるから、第１排紙部７や第２給紙トレイ３０、Ｕターン経路３４、第２印刷部３１、第２排紙部３２の個所で紙詰まりが発生した場合に、ユーザは開口部２ａから作業空間４５内に手を入れて、紙ジャム処理が容易にできる。
【００４９】
特に、ハウジング２の前側寄り部位に、第１排紙部７と第２給紙トレイ３０との間に上下の仕切り壁となるものが存在している場合や第１排紙部７や第２給紙トレイ３０、第２排紙部３２の各部品の上下寸法が小さい構成のものでは、個々の部品の対応する開口部２ａでの上下寸法も小さくなり、紙ジャム処理の際にユーザの手が紙詰まりの個所に届きにくい。しかし、ハウジング２の前側寄り部位に、第１排紙部７と第２給紙トレイ３０との上下の仕切り壁が存在しない場合には、本実施例のように、第２給紙トレイ３０をハウジング２から取り外すだけで、第１排紙部７及びその上側の排紙作業空間と第２給紙トレイ３０と第２排紙部３２及びその上側の排紙作業空間の３つの領域が１つにまとまった大きく且つ広い範囲の作業空間４５が簡単に形成できる。さらに、第１給紙トレイ５及び第２給紙トレイ３０から葉書または写真のＬ版等の小サイズの用紙Ｐ１、Ｐ２を供給して印刷するときには装置内に排紙された状態でも、ユーザの手が上記小サイズの用紙Ｐ１、Ｐ２に届き易くなり、取り出し作業が非常に容易となる。
【００５０】
また、第２給紙トレイ３０をハウジング２の奥側に行くに従って、下方となるように傾斜状に配置した場合には、ハウジング２の奥側であって第２給紙トレイ３０の上方に配置すべき給紙手段３７の配置高さを、上記傾斜配置でない場合に比べて低い位置にすることができるから、ハウジング２全体の高さをコンパクトにできる。また、紙ジャムが発生し易いハウジング２の奥側における作業空間４５の上下寸法を大きく形成できるから、これによっても、紙ジャム処理が非常に容易となる。
【００５１】
第２トレイ３０の裏面、つまり第１排紙部７に面した側は、第１排紙部７へ搬送される用紙が第１排紙部７に安定して排紙されるように搬送路の一部として役割を持つ。
【００５２】
図４に示す２実施例は、第２排紙部４６が第２給紙トレイ３０と別体であって、ハウジング内に固定的に配置されているものである。その他の構成は第１実施例と同じであるので、同じ符合を付して詳細な説明は省略する。
【００５３】
第２実施例おいて、第２給紙トレイ３０をハウジング２の前面から抜き出すと、図５（Ａ）及び図５（Ｂ）に示すように、第１排紙部７と第２排紙部４６との間に、比較的大きい取り扱いの作業空間４７ができる。この作業空間４７は第１実施例における作業空間４５に比べて第２排紙部とその排紙作業空間に相当する分だけ上下寸法が小さくなるが、それでも、第１給紙トレイ５及び第２給紙トレイ３０から用紙Ｐ１、Ｐ２を供給して印刷するときに発生する紙詰まりに際して、ユーザの手が紙ジャムした用紙Ｐ１、Ｐ２に届き易くなり、紙ジャム処理が容易となる。
【００５４】
図６（Ａ）及び図６（Ｂ）に示す第３実施例では、第１実施例に加えて、第１用紙経路８の中途部であって、ハウジング２の奥側には、第１排紙部７への経路と第２印刷部３１への経路とに選択的に用紙Ｐ１を搬送させるフラッパ４８付きの第３用紙経路４９が配置されているものである。第３用紙経路４９には、複数個所に搬送ローラ対５０ａ、５０ｂが設けられている。また、第１排紙部７と第２給紙トレイ３０との間には、図８の斜視図で示すようなトレイ受け部材５５が設けられている。このトレイ受け部材５５は、ハウジング２の奥側で第２給紙トレイ３０の奥側下面を支持する奥支持部５５ａと、奥支持部５５ａから二股状にてハウジング２の手前側に延びる一対の側ガイド部５５ｂとを有する。一対の側ガイド部５５ｂにて、挿抜時の第２給紙トレイ３０の左右両側下面をガイド支持するものである（図６（Ａ）、図６（Ｂ）、図７（Ａ）及び図７（Ｂ）参照）。従って、第２給紙トレイ３０を抜いた後では、一対の側ガイド部５５ｂの間が第１排紙部７の上方と連通する作業空間となる。
【００５５】
この第３実施例では、第１給紙トレイ５上から給送された用紙Ｐ１を第１印刷部６で電子写真プロセスにより画像形成された後、第３用紙経路４９を経由してレジストローラ対４０を経て第２印刷部３１に搬送されると、用紙Ｐ１の他面にカラー印刷（インク印刷）することができる。第２給紙トレイ３０からの用紙Ｐ２に対して第２印刷部３１にてカラー印刷することができることは勿論である。
【００５６】
第３実施例において、第２排紙部３２毎第２給紙トレイ３０をハウジング２の前側から引き抜けば、第１実施例と同様に、ハウジング２の前面には上下寸法の大きい開口部２ａが形成できると共に、トレイ受け部材５５が設けられていても、ハウジング２の内部で、第１排紙部７の上方から第２印刷部３１の下方まで広い範囲の作業空間４５ができるから（図７（Ａ）及び図７（Ｂ）参照）、第１排紙部７や第２給紙トレイ３０、Ｕターン経路３４、第３用紙経路４９、第２印刷部３１、第２排紙部３２の個所で紙詰まりが発生した場合に、ユーザは開口部２ａから作業空間４５内に手を入れて、紙ジャム処理が容易にできる。
【００５７】
第３実施例の変形例として、第１画像形成部３にフラッパ４８部からレジストローラ対１９の搬送上流側に用紙Ｐ１をリターン（反転搬送）させるための第１リターンパス５１を設ける一方、第２画像形成部４に排紙ローラ対４１の搬送下流側に正逆回転可能なリターンローラ対５２を備え、リターンローラ対５２からレジストローラ対４０の搬送上流側に用紙Ｐ１（Ｐ２）をリターン（反転搬送）させるための第２リターンパス５３を設ける。なお、この場合、排紙ローラ対２１も正逆回転可能に構成する。第１及び第２リターンパス５１、５３の中途部に搬送ローラ対を設けることは勿論である。
【００５８】
このように構成すれば、１枚の用紙の両面に、電子写真プロセスによる画像形成（以下、トナー画像形成という）と、カラーインクによる画像形成（以下、インク画像形成という）とを実行することができる。即ち、第１給紙トレイ５からの用紙Ｐ１の片面に第１印刷部６にてトナー画像形成されたものを第１用紙経路８を経て排紙ローラ対２１の個所まで搬送し、用紙Ｐ１の後端を不図示のセンサにて検出すると、排紙ローラ対２１を逆回転させて用紙Ｐ１を第１リターンパス５１を介して再度第１用紙経路８のレジストローラ対１９の搬送上流側に戻し、第１印刷部６にて、用紙Ｐ１の他面にもトナー画像形成が可能となる。
【００５９】
そして、用紙Ｐ１の両面にトナー画像形成した後、第３用紙経路４９を経由して第２印刷部３１にてインク画像形成を付加することができるし、第２リターンパス５３を経由して再度第２印刷部３１にて印刷作業を実行すれば、１枚の用紙Ｐ１の両面に、インク画像形成とトナー画像形成とを行なえる。勿論、第１印刷部６または第２印刷部３１において一方の画像形成動作を実行しないで、用紙Ｐ１（Ｐ２）を通過させることもできる。
【００６０】
上記の構成により、本願発明によれば、インク画像形成とトナー画像形成の両方の用途に兼用できるから、装置の構造を簡略化でき、製造コストが低減できると共に、装置本体（ハウジング２）も小型化できる。さらに、第１画像形成部３における第１用紙経路８には、第１給紙トレイ５から給送される用紙が第１印刷部６へ送られる前Ｕターン経路９がハウジング２の手前側に配置され、第２画像形成部４における第２用紙経路３３には、第２給紙トレイ３０から給送される用紙Ｐ２が第２印刷部３１へ送られるＵターン経路３４がハウジング２の奥側に配置されているので、少なくとも第２給紙トレイ３０をハウジング２から抜き出すと、大きく広い作業空間が形成できるので、紙ジャム処理が容易となる。
【００６１】
なお、変形例として、ハウジング２の上面に、画像読取部４２に代えて、第２排紙３２を設けるように構成しても良い。
【００６２】
なお、複合画像形成装置１は、不図示のコンピュータ（外部情報機器）と主に接続されて、該コンピュータから送信された画像データや文書データを含む印刷データに基づいて、被記録媒体としての用紙に画像や文書を記録することができる。また、複合画像形成装置１には、デジタルカメラ等の外部機器が接続されて、デジタルカメラ等から出力される画像データを用紙に記録したり、メモリカード等の各種記憶媒体の外部メモリを取り込む（装填する）スロット部を設けておけば、該記憶媒体に記録された画像データ等を用紙に記録することも可能である。
【００６３】
また、この第２給紙トレイ３０の上であって第２排紙部３２よりもハウジング２の奥側に、第２給紙トレイ３０における用紙と異なる小サイズ（葉書または写真のＬ版等）の複数枚（少なくとも１枚以上）の用紙を堆積状態で収容可能とした補助給紙トレイ部を設けても良い。補助給紙トレイ部とトレイ状の第２排紙部３２とが一体的に形成されていても良い。
【符号の説明】
【００６４】
１    複合画像形成装置
２    装置本体としてのハウジング
３    第１画像形成部
４    第２画像形成部
５    第１給紙トレイ
６    第１印刷部
７    第１排紙部
８    第１用紙経路
９    前Ｕターン経路
２０    奥側Ｕターン経路
３０    第２給紙トレイ
３１    第２印刷部
３２    第２排紙部
３３    第２用紙経路
３４    Ｕターン経路
【図１】
2011090266.tif 000003
【図２】
2011090266.tif 000004
【図３】
2011090266.tif 000005
【図４】
2011090266.tif 000006
【図５】
2011090266.tif 000007
【図６】
2011090266.tif 000008
【図７】
2011090266.tif 000009
【図８】
2011090266.tif 000010